(57)【要約】      （修正有）【課題】絞り機能を追加したモップ払拭体とモップを提供する。【解決手段】モップの柄１の先端にＴ字状になるように板２を設けその板に、モップ払拭体の糸の束３を植毛する。植毛されたモップ払拭体の糸の束の先端に、取っ手５がついた板４を取り付ける。更にモップの柄にＴ字状に取り付けた板と、モップ払拭体の糸の束の先端に取り付けた取っ手のついた板を、貼着自在とする手段６を板に設ける。【選択図】図１
2008029790.tif 000002
【特許請求の範囲】
【請求項１】
モップの柄と、柄の先端にＴ字状になるように取り付けられた板と、前記板に植毛されたモップ払拭体の糸の束と、前記束の先端に取り付けられた板と、前記板に設けられた取っ手とを要し、かつ、前記モップ払拭体の糸の束が植毛された板と前記束の先端に取り付けられた板とを貼着自在とする貼り付け手段を要してなることを特徴とする絞り機能と洗浄機能を付加したモップ。
【請求項２】
モップの柄と、柄の先端にＴ字状になるように取り付けられた板と、前期板に植毛されたモップ払拭体の糸の束と、前記束の先端に取り付けた板と、前記板に設けられた取っ手とを要し、かつ、前記モップ払拭体の糸の束が植毛された板と前記束の先端に取り付けた板とを貼着自在とする貼り付け手段を、前記板に設けたことを特徴とする絞り機能と洗浄機能を付加したモップ。
【請求項３】
モップの柄と、柄の先端にＴ字状になるように取り付けられた板と、前記板に植毛されたモップ払拭体の糸の束と、前記束の先端に取り付けた板と、前記板に設けられた取っ手とを要し、かつ、前記モップ払拭体の糸の束が植毛された板と前記束の先端に取り付けられた板とを貼り合わせ止める別体のクリップとを要してなることを特徴とする絞り機能と洗浄機能を付加したモップ。
【請求項４】
モップの柄と、柄の先端に着脱自在でありかつＴ字状になるように取り付けた板と、前記板に植毛されたモップ払拭体の糸の束と、前記束の先端に取り付けた板と、前記板に設けられた取っ手とを要し、かつ、前記モップ払拭体の糸の束が植毛された板と前記束の先端に取り付けられた板とを貼着自在とする貼り付け手段を、前記板に設けたことを特徴とする絞り機能と洗浄機能を付加したモップ。
【請求項５】
モップの柄と、柄の先端に設けられたモップ払拭体との結合手段の一方と、板と前記板に植毛されたモップ払拭体の糸の束と、前記束の先端に取り付けられた板と、前記板に設けられた取っ手とを要し、かつ、前記モップ払拭体の糸の束が植毛された板と前記束の先端に取り付けられた板とを貼着自在とする貼り付け手段を、前記板に設け、かつ、前記二枚の板にモップの柄との結合手段の他方が設けられていることを特徴とする絞り機能と洗浄機能を付加したモップ。
【請求項６】
モップの柄と、柄の先端に設けられたモップ払拭体との結合手段と、板と前記板に植毛されたモップ払拭体の糸の束と、前記束の先端に取り付けた板と前記板に設けられた取っ手とを要し、かつ、前記モップ払拭体の糸の束が植毛された板と前記束の先端に取り付けられた板とを貼着自在とする貼り付け手段を前記板に設けたことを特徴とする絞り機能と洗浄機能を付加したモップ。
【請求項７】
モップの柄と、モップの柄の先端にＴ字状に取り付けられた板と、板と前記板に植毛されたモップ払拭体の糸の束と、前記束の先端に取り付けられた板と、前記板に設けられた取っ手を要し、かつ、モップの柄の先端に取り付けた板と前記モップ払拭体の糸の束が植毛された板と前記束の先端に取り付けた板とを貼着自在とする貼り付け手段を前記板に設けたことを特徴とする絞り機能と洗浄機能を付加したモップ。
【請求項８】
モップの柄と、モップの柄の先端にＴ字状に取り付けた板と、前記板に取り付けたクリップと、取っ手のついた板と前記板に植毛されたモップ払拭体の糸の束とを要し、かつ、前記モップの柄の先端に取り付けた板と前記取っ手のついたモップ払拭体の糸の束が植毛された板とを貼着自在とする貼り付け手段を前記板に設けたことを特徴とする絞り機能と洗浄機能を付加したモップ。
【請求項９】
モップの柄と、柄の先端にＴ字状になるよう取り付けられた板と、前記板に植毛されたモップ払拭体の糸の束と、前記束の先端に取り付けた板と、前記板に設けられた取っ手とを要し、かつ、前記束の先端に取り付けた板と前記モップの柄の付け根とを貼着自在とする貼り付け手段を要してなることを特徴とする絞り機能と洗浄機能を付加したモップ。
【請求項１０】
モップの柄と、柄の先端にＴ字状になるように取り付けられた板と、前記板に植毛されたモップ払拭体の糸の束と、前記束の先端に取り付けられた板と、前記板に設けられた取っ手とを要し、かつ、前記モップ払拭体の糸の束が植毛された板と前記束の先端に取り付けられた板とを貼着自在とする貼り付け手段を前記板に設け、かつ、モップの柄の付け根に取っ手を設けたことを特徴とする絞り機能と洗浄機能を付加したモップ。
【請求項１１】
モップの柄との結合部材の一方を備える板と、前記板に植毛されたモップ払拭体の糸の束と、前記束の先端に取り付けられた板と、前記板に設けられた取っ手とを要し、かつ、前記モップ払拭体の糸の束が植毛された板と前記束の先端に取り付けられた板とを貼着自在とする貼り付け手段を前記板に設けたことを特徴とする絞り機能と洗浄機能を付加したモップ払拭体。
【請求項１２】
板と、前記板に植毛されたモップ払拭体の糸の束と、前記束の先端に取り付けられた板と、前記板に設けられた取っ手とを要し、かつ、前記モップ払拭体の糸の束が植毛された板と前記束の先端に取り付けられた板とを貼着自在とする貼り付け手段を前記板に設けたことを特徴とする絞り機能と洗浄機能を付加したモップ払拭体。
【請求項１３】
取っ手を取り付けた板と、前記板に植毛されたモップ払拭体の糸の束と、前記束の先端に取り付けた板と、前記板に設けられた取っ手とを要し、かつ、前記モップ払拭体の糸の束が植毛された板と前記束の先端に取り付けられた板とを貼着自在とする貼り付け手段を前記板に設けたことを特徴とする絞り機能と洗浄機能を付加したモップ払拭体。
【請求項１４】
板と、前記板に植毛されたモップ払拭体の糸の束と、前記束の先端に取り付けた板と、前記板に設けられた取っ手を有してなることを特徴とする絞り機能と洗浄機能を付加したモップ払拭体。
【請求項１５】
取っ手のついた板と、前記板に植毛されたモップ払拭体の糸の束とを特徴とする絞り機能と洗浄機能を付加したモップ払拭体。
【請求項１６】
モップの柄と、柄の先端に着脱自在であり、かつＴ字状になるよう取り付けられた板と、前記板に取り付けられたクリップと、方形のモップ払拭体の糸の束と、板と板に取り付けられたクリップと前記クリップのついた板に取り付けられた取っ手とを要し、かつ、前記モップの柄の先端に取り付けられた板と前記クリップと取っ手とを取り付けた板とを貼着自在とする貼り付け手段を前記板に設けたことを特徴とする絞り機能と洗浄機能を付加したモップ。
【発明の詳細な説明】
【技術分野】
【０００１】  この発明は、モップ絞り器を必要としない、手を汚さず手で絞れ手を汚さず手で洗えるモップ払拭体絞り機能とモップ払拭体洗浄機能を付加したモップ、及びモップ払拭体に関するものである。
【背景技術】
【０００２】  これまでのモップは、モップとモップ絞り器とをセットで使用していた。【０００３】  従来のモップとは、柄の先端に無数のモップ糸を取り付けたものであり、従来のモップ絞り器とは公開特許公報２００３−５２６０４のような四角いバケツに二本のローラーとローラーを動かすペダルがついているものである。【０００４】  従来のモップを使用するときモップ絞り器に水を入れ、その中にモップをつけて水に濡らし、モップ絞り器についているローラーにはさみ、モップの先端についた無数の糸（以下モップ払拭体と称す）をローラーを動かすペダルを踏んで挟み込むことでモップ払拭体の水分を絞り取っていた。【０００５】  また、この従来のモップの使用方法を改良し、モップとモップ絞り器をセットで使用せずにモップの水分を絞り出す機能を付加したモップもあった。【０００６】  例えば、公開特許公報２００５−４４３、公開特許公報平１１−４２１９５、公開特許公報平９−２７６１９４、公開特許公報平７−２５５６５８、公開特許公報２０００−１２６１０６、公開実用新案公報平６−８５６５６がそうである。【０００７】  公開特許公報２００５−４４３に記載されたモップ払拭体を絞る機能を付加したモップの構造は次のようなものである。すなわちモップ払拭体に対向する位置に硬質プレート状の回転板を取り付け、ぬれたモップ払拭体を硬質プレート状の回転板に貼り付けて回転板を回転させ、回転板を靴で踏むなどして押圧することにより、ぬれたモップ払拭体を圧搾し、モップ払拭体の水分を取り除くというものである。【０００８】  公開特許公報平１１−４２１９５に記載されたモップ払拭体を絞る機能を付加したモップの構造は次のようなものである。すなわちモップ払拭体に絞りロールをあらかじめ取り付けた構造であり、レバー操作により絞りロールをぬれたモップ払拭体にそって動かしてモップ払拭体の水分を取り除くものである。【０００９】  公開特許公報平９−２７６１９４に記載されたモップ払拭体を絞る機能を付加したモップの構造は次のようなものである。すなわち、モップの柄をピストン状に構成しその先端にループ状のモップ払拭体を止着し、モップの柄の外側の筒をモップ払拭体のほうへ押し下げることによりモップ払拭体がピストン状のモップの柄の中に入っていき、この入っていく段階でモップ払拭体の水分を取り除くものである。【００１０】  公開特許公報平７−２５５６５８に記載されたモップ払拭体を絞る機能を付加したモップの構造は次のようなものである。すなわちモップの柄が軸にあたる部分とその軸を被うように配設されたコントロールスリーブで構成されており、コントロールスリーブを回転させながら軸を上に引き上げることで、モップ払拭体をコントロールスリーブ内に引き込む。この引き込んだ段階でぬれたモップ払拭体の水分を絞り取るものである。【００１１】  公開特許公報２０００−１２６１０６に記載されたモップ払拭体を絞る機能を付加したモップの構造は次のようなものである。すなわち、モップの柄に取り付けた鳥居形フレームに回転可能に支持されたローラーを取り付け、更にそのローラーを回すハンドルが取り付けられた構造をしており、ハンドルを回すことでぬれたモップ払拭体が巻き上げ���れローラーに挟まれ、この段階でぬれたモップ払拭体の水分を取り除くものである。【００１２】  公開実用新案公報平６−８５６５６に記載されたモップ払拭体を絞る機能を付加したモップの構造は次のようなものである。すなわち、モップの柄を中心としてモップの柄をつつむ管状体を用意配設し、その管状体にカバー及びモップ払拭体が取り付けられていて、モップの柄の先端に弓状のＴ字形の棒を設け、この先端弓状の棒を上下動と回転によって、ぬれたモップ払拭体を絞るというものである。【００１３】  これらの従来の技術には１０の欠点がある。絞り機能をつけていない従来のモップ及びモップ絞り器の第一の欠点は、よく絞れないという点である。モップ絞り器に水を入れその中にモップを入れて水につけ、モップ絞り器についたローラーでモップ払拭体を絞るわけだが、実際使用してみるとモップ払拭体の水分を十分に絞ることができず、そのまま床やタイルなどを拭くと床やタイルにすじ状の水が残ってしまう。このすじ状の水は汚れなども含んでいるため自然蒸発させるとすじ状に水が蒸発した跡がついてしまう。これでは何のためにモップで床などをふいたのか分からない。【００１４】  清掃のプロである清掃員などはその点を熟知しているので、汚れぬれたモップ払拭体を手でつかみ絞っているのが実情である。手がぬれて汚れるから極めて不衛生である。この極めて不衛生であるという点が第二の欠点である。【００１５】  第三の欠点は、モップ絞り器が必要となる点である。モップを使用するものはモップを使い床やタイルなどを拭きたいだけであるので必要となるものは本来モップだけである。しかし従来のモップには前記第一、第二の欠点があるため、わざわざモップ絞り器をモップと一緒に購入せざるを得ないのである。従来のモップに前記第一、第二の欠点がなければモップ絞り器などいらないのである。モップ絞り器を必要とするため余計なコストがかかり、モップ絞り器を置いておくスペースを確保しなければならない。これらのことはモップ使用者に過度の負担をしいている。【００１６】  第四の欠点は、モップ払拭体をよく洗うことができないという点である。従来のモップ払拭体の構造は単なる無数の糸の束である。糸がこみいっている。このような従来のモップ払拭体をモップ絞り器に入れた水につけてゆすぐだけという動作で、モップ払拭体についた汚れがおちるわけがない。かといって手を使って洗うとしても、従来のモップ払拭体は無数の比較的短い糸で構成されているのでつかみづらい。つかみづらいから洗いづらい。洗いづらいから汚れがおちにくい。つまり従来のモップ払拭体は洗いづらく汚れがおちにくい構造をしているのである。【００１７】  汚れがおちにくいということはモップ払拭体を洗ったとしても、汚れを洗い残したまま再度床などを拭くことになるので洗い残した汚れが、再度床などに付着することになるから、また拭かねばならなくなり効率が悪い。またモップ払拭体をつかみづらいから洗うのに手間がかかる。【００１８】  第五の欠点は床などの汚れを、よく吸着しないという点である。確かに従来のモップは水にぬらして使うわけであるから、その水分によって汚れを吸着する能力はある。しかし十分とはいえない。従来のモップ払��体は、板状の構造体に無数の糸がたれさがっている構造であるため、汚れをひっかける能力が弱いのである。【００１９】  絞り機能をモップに付加した既発明のモップの第一の欠点はモップの先端が重くなるという点である。絞り機能を付加した既発明のモップの中にはモップの先端にモップ払拭体と一緒にローラーなどの絞り手段を取り付けたものがある。この場合、当然モップ先端が絞り機能を付加していないモップにくらべ重くなる。重くなるということは、床を磨いたりワックスをかけたりする作業がやりづらくなり重労働となってしまい、作業効率がおちてしまう。【００２０】  第二の欠点は構造が複雑で壊れやすくなる点である。モップに絞り機能を付加するということは、モップ払拭体あるいは柄に絞り機構がなくてはならないわけでありモップの構造が複雑になる。構造が複雑になれば壊れやすくなる。【００２１】  第三の欠点はかさばるという点である。モップ払拭体に絞り機構をつけると、つけていないモップにくらべモップの先端部分あるいはモップの柄の付け根部分が大きくなる。大きくなるとモップ使用中どこかにぶつけたり、モップをしまうスペースをとる必要がでてきてしまう。モップ使用中、どこかにぶつけやすくなれば当然作業効率はおちることとなる。【００２２】  第四の欠点は製造コストがかかる点である。絞り機能をモップに付加した既発明のモップを見れば分かるとおり、ローラーなどの絞り機構がどうしても必要となる。絞り機構が必要ということは、その絞り機構を製造するコストがかかる。どんなに絞り機構の製造コストをおさえようとしても、絞り機構のない従来のモップの製造コストとくらべ甘受できるコストアップならばよいのであるが、そのようにはならない。なぜなら従来のモップの構造があまりに単純であるからである。【００２３】  第五の欠点は、従来の絞り機能を付加していない単純構造のモップと、まったく互換性がない点である。絞り機能を付加した既発明のモップは、それを手にするために新しいものをモップの柄ごと購入しなければならない。絞り機能を有していない従来の単純構造のモップは、モップ払拭体とモップの柄が着脱自在になっているものが多く、モップの柄はずっと使用を続けるのである。絞り機能を付加した既発明品を購入すると、従来のモップの柄をすてなければならず、更にモップ払拭体も新たに購入しなければならない。これでは従来のモップの柄が無駄となり資源と費用の浪費であるといっても過言ではない。
【特許文献１】公開特許公報２００３−５２６０４号
【特許文献２】公開特許公報２００５−４４３号
【特許文献３】公開特許公報平１１−４２１９５号
【特許文献４】公開特許公報平９−２７６１９４号
【特許文献５】公開特許公報平７−２５５６５８号
【特許文献６】公開特許公報２０００−１２６１０６
【特許文献７】公開実用新案公報平６−８５６５６
【発明の開示】
【発明が解決しようとする課題】
【００２４】  従来のモップとモップ絞り器を使用する場合、モップ絞り器のローラーのモップ払拭体を絞る力が弱いからモップ払拭体をよく絞れない。よく絞れていないモップを使用すると床をみがくつもりが床を汚す結果となってしまう。また、床をみがくあるいはワックスをかけるといった作業には本来モップだけあればその使命を果たすことができるのであるからモップ絞り器は本来必要ない。モップ絞り器を使用しないでもモップをよく絞ることができるようにすることも本発明の課題である。【００２５】  また、従来のモップ払拭体は中途半端な短さの糸を無数にたばねた構造であり手でつかみにくく洗いづらかった。更に従来のモップ払拭体は板に無数の糸を吊り下げているだけの構造であるため、汚れを引っかけるといった能力が弱い。【００２６】  従来のモップを改良した背景技術に記載した絞り機能を付加したモップは、モップの先端が重くなり作業効率がおちることとなるし、構造が複雑なので壊れやすくなり、かさばり、製造コストが従来のモップよりかかることとなっていた。また、従来の絞り機能を付加していない単純構造のモップとまったく互換性がないことも問題である。すでに従来の単純構造のモップは世の中に広く広まっているのだから、それらと互換性がないのは資源と費用の浪費につながり無駄をすすめているのと同じである。これら課題を解決する簡便な方法、仕組み、構造が今までなかった。【００２７】  本発明が解決しようとする課題は手を汚さず手でよく絞れ、手を汚さず手で洗え、かつ従来の絞り機能を付加していない単純構造のモップと互換性があり、構造が簡便で壊れにくく製造コストをおさえることができ、なおかつ従来のモップより汚れを吸着しやすくした、絞り機能と洗浄機能とを付加したモップ及びモップ払拭体を提供する点にある。
【課題を解決するための手段】
【００２８】  請求項１及び２に係る絞り機能と洗浄機能を付加したモップは、モップの柄とモップの柄の先端に板をモップの柄と板とをあわせてみるとＴ字状になるように取り付け、このモップの柄を取り付けた板にモップ払拭体を構成する糸の束を植毛する。板に植毛されたモップ払拭体を構成する糸の束の先端にはモップの柄に取り付けた板と同じような板を取り付ける。【００２９】  先端に取り付ける板の形状や材質は、モップの柄に取り付ける板と同じでもよいし、そうでなくてもよい。モップ払拭体の先端に取り付けられた板には取っ手が取り付けられている。そしてモップ払拭体の糸の束の両端に取り付けられた板を貼り付ける手段を、片方の板あるいは両方の板に設ける。【００３０】  この貼り付ける手段には、例えば片方の板にクリップ状の構造を取り付け、もう片方の板を前記クリップ状の構造にかみあわせる方法、あるいは両方の板にテープファスナー、磁石を設けてそれにより二枚の板を貼着する方法、あるいは片方の板に溝を設けてその溝にもう片方の板をはめ込む方法、あるいは片方の板または両方の板にフック状の構造体を設けてフックにひっかけるようにして二枚の板を貼着する方法、あるいは片方の板または両方の板にワイヤーを設けて、このワイヤーを締め上げること結び合わせることで二枚の板を貼着する方法などがある。【００３１】  また板につけられる取っ手であるが、弓状のものを固着してもよいし、板をくりぬいて穴をつくりそれを取っ手としてもよい。あるいは弓状ではなく、Ｌ字状のレバーのような構造でもよいし、ドアのノブのような円筒状のものを板に固着する構造でもよい。【００３２】  請求項１から９及び１６のモップの基本構造を理解するのにはモップ払拭体から概観すると分かりやすい。すなわち、モップ払拭体の糸の束を方形に形成し、方形に形成した糸の束の両端に板を取り付け、この板の一方にモップの柄が取り付けられ、もう一方の板に取っ手が取り付けられており、この二枚の板をモップ払拭体を折り曲げながら前記した貼着手段により貼り付けるようした構造なのである。よってモップ使用時にはモップ払拭体の糸の束はループ状となり、従来のモップの払拭体部分とその構造を異にする。【００３３】  請求項３に係る絞り機能と洗浄機能を付加したモップは、モップの柄とモップの柄の先端にＴ字状に板を取り付け、その板にモップ払拭体の糸の束を植毛する。植毛した糸の束の先端に板を取り付けこの板に取っ手を設け、前記モップ払拭体の糸の束が植毛された板と前記束の先端に取り付けた板とを貼り付けて止める別体のクリップのような止め具を用意しているものである。前記二枚の板に貼着手段は設けておらず、別体のクリップ状の止め具で板を貼り合わせ止める。【００３４】  請求項４に係る絞り機能と洗浄機能を付加したモップは、モップの柄と、このモップの柄と着脱自在でありかつＴ字状に板を取り付けているところが、請求項１から３のものと違う点である。着脱自在でありかつＴ字状に取り付けるとは、例えばモップの先端に大型のクリップ状のはさんで固定する構造を設け、その構造により板をはさんで止める、あるいはモップの先端をネジのようにし板にネジ穴を設けて、モップの柄を回して板のネジ穴にねじこみ���果的にモップの柄と板とを固定する方法などの着脱自在手段をほどこしたという意味である。また結合手段なる言葉も同じ意味である。いずれにしろ従来のモップの着脱自在手段はすべて使える。【００３５】  前記のようにモップの柄と板をＴ字状になるように着脱自在に取り付け、取り付けた板にモップ払拭体の糸の束を植毛し、前記束の先端に板を取り付け、その板に取っ手を設ける。そして前記モップ払拭体の糸の束が植毛された板と、前記束の先端に取り付けられた板とを貼着自在とする貼り付け手段を前記板に設けたものである。つまり、モップの柄が取り外し可能であるという特徴を有する。このとき図１６のように、束の先端に取り付けた板に板を切り欠いて、へこみを設けてもよい。【００３６】  請求項５に係るしぼり機能と洗浄機能を付加したモップは、モップの柄と柄の先端に設けられたモップ払拭体との結合手段の一方をまず有する。結合手段の一方とは、モップの柄とモップ払拭体が取り外し可能な従来の単純構造のモップの構造のように、モップの柄の先端に大型のクリップ状のはさんで止める手段を設け、これを結合手段の一方と称し、モップ払拭体の板の部分に突起状の構造体を設けて、モップの柄の先端のクリップ状のはさんで止める手段にかみあわせやすく、しかも確実に固定するようになっている構造が従来の単純構造のモップに取り入れられているが、本発明も同じ考え方を踏襲し、モップ払拭体の板の部分に設けたと突起状の構造体を結合手段の他方として表現している。そして、板と前記板に植毛されたモップ払拭体の糸の束と前記束の先端に取り付けた板と、前記板に設けられた取っ手とを要し、かつ、前記モップ払拭体の糸の束が植毛された板と前記束の先端に取り付けられた板とを貼着自在とする貼り付け手段を前記板に設け、かつ、前記二枚の板にモップの柄との結合手段の他方を設けたものである。であるから請求項５の発明は、まずモップ払拭体の両端の板を貼り付けてその後貼り付けた二枚の板を一緒にかみあわせるようにモップの柄を結合したものである。よってモップ払拭体の二枚の板はモップの柄からはずした後でないと、その貼着状態を解除することはできない。むろん前記した結合手段の他方、すなわちモップ払拭体の板に設けた突起状の構造体がなくても、モップの柄とモップ払拭体は結合できる。【００３７】  請求項５に係る発明においてモップ払拭体に結合手段の他方がない構造のものが請求項６に係る発明である。【００３８】請求項６に係る絞り機能と洗浄機能を付加したモップは、モップの柄と柄の先端に設けられたモップ払拭体との結合手段をまず要する。結合手段とは大型のクリップのような止め具である。そして、板と前記板に植毛されたモップ払拭体の糸の束と、前記束の先端に取り付けた板と前記板に設けられた取っ手とを要し、かつ、前記モップ払拭体の糸の束が植毛された板と前記束の先端に取り付けられた板とを貼着自在とする貼り付け手段を前記板に設けたものである。【００３９】  請求項７に係る絞り機能と洗浄機能を付加したモップはモップの柄と、モップの柄の先端にＴ字状に取り付けた板と、板と前記板に植毛されたモップ払拭体の糸の束と前記束の先端に取り付けた板と、前記板に設けられた取っ手を要し、��つ、モップの柄の先端に取り付けた板と、前記モップ払拭体の糸の束が植毛された板と、前記束の先端に取り付けた板とを貼着自在とする貼り付け手段を前記板に設けたものである。すなわち先端Ｔ字のモップの柄がある。その柄の先端の板に、モップ払拭体の両端についた二枚の板の一方の板と他方の板とを貼着自在となる手段により、貼り合わせたものである。貼着自在となる手段は三枚の板に設けてもよいし、一枚の板に設けてもよい。また、先端Ｔ字のモップの柄が棒状のモップの柄と板とに着脱自在となる手段により取り外し可能となっていてもよい。【００４０】  請求項８に係る絞り機能と洗浄機能を付加したモップは、モップの柄とモップの柄の先端にＴ字状に取り付けた板と、前記板に取り付けたクリップをまず要する。このクリップは板に固定され、文房具のクリップボードのように布などをはさめるようになっている。また、板にクリップを固定する方法でなく、板そのものをクリップ状の構造として構成してもよい。そして取っ手のついた板と前記板に植毛されたモップ払拭体の糸の束を要する。本発明に使用するモップ払拭体は糸の束であるから、あらかじめたばねられたいる。よって糸の束の端部はバラバラの糸状の状態ではなく、ミシンなどで縫いつけて束ねられている状態である。縫いつけ手段によらないのであれば、糸の端部を接着剤にひたして糸を固定し束ねてもよい。糸を束ねた状態は板状であるのが望ましい。【００４１】  そしてモップの柄の先端に取り付けた板と前記取っ手のついたモップ払拭体の糸の束が植毛された板とを貼着自在とする貼り付け手段を前記板の一方または両方に設けたものである。本請求項に係る発明を使用するときは次のようにする。すなわちモップ払拭体の糸の束の端の束ねられている部分をモップの柄につけた板上にあるクリップに挟む。そしてモップ払拭体を折り曲げながら取っ手のついた板とモップの柄の先端についた板とを貼り合わせる。【００４２】  請求項９に係る絞り機能と洗浄機能を付加したモップは、モップの柄と柄の先端にＴ字状になるように取り付けられた板と、前記板に植毛されたモップ払拭体の糸の束と、前記束の先端に取り付けられた板と前記板に設けられた取っ手とを要し、かつ、前記束の先端に取り付けた板と前記モップの柄の付け根とを貼着自在とする貼り付け手段を設けたものである。すなわち、これまでの請求項で説明してきた発明は基本的にモップ払拭体の両端の板を貼着自在手段により貼り付けていたが、本請求項の発明はモップの柄の付け根、つまりＴ字状に板が取り付けられている部分と、モップ払拭体の糸の束の先端に取り付けられた板とを貼着自在手段により貼り付ける構造をしている。【００４３】  請求項１０に係る絞り機能と洗浄機能を付加したモップは、モップの柄と柄の先端にＴ字状になるように取り付けられた板と、前記板に植毛されたモップ払拭体の糸の束と前記束の先端に取り付けられた板と前記板に設けられた取っ手とを要し、かつ、前記モップ払拭体の糸の束が植毛された板と、前記束の先端に取り付けられた板とを貼着自在とする貼り付け手段を前記板の一方または両方に設け、かつ、モップの柄の付け根にもうひとつ取っ手を設けたものである。モップの柄の付け根につける取っ手は、弓状のものでもよいし自転車のグリップにつけられているような形状のものをモップの柄にまきつけるように取り付けてもよい。【００４４】  請求項１１に係る絞り機能と洗浄機能を付加したモップ払拭体は、モップの柄との結合部材の一方を備える板と前記板に植毛されたモップ払拭体の糸の束と、前記束の先端に取り付けられた板と前記板に設けられた取っ手とを要し、かつ、前記モップ払拭体の糸の束が植毛された板と前記束の先端に取り付けられた板とを貼着自在とする貼り付け手段を、前記一方の板または両方の板に設けたものである。結合部材の一方とは請求項５に係る発明の説明に出てきたものと同じもので突起状の構造体が基本的な構造として使用される。【００４５】請求項１２に係るしぼり機能と洗浄機能を付加したモップ払拭体は、板と前記板に植毛されたモップ払拭体の糸の束と、前記束の先端に取り付けた板と前記板に設けられた取っ手とを要し、かつ、前記モップ払拭体の糸の束が植毛された板と前記束の先端に取り付けられた板とを貼着自在とする貼り付け手段を前記板の一方あるいは両方に設けたものである。【００４６】請求項１３に係る絞り機能と洗浄機能とを付加したモップ払拭体は、取っ手を取り付けた板と前記板に植毛されたモップ払拭体の糸の束と前記束の先端に取り付けた板と、前記板に設けられた取っ手とを要し、かつ、前記モップ払拭体の糸の束が植毛された板と前記束の先端に取り付けられた板とを貼着自在とする貼り付け手段を、前記板の一方あるいは両方に設けたものである。【００４７】  請求項１４に係る絞り機能と洗浄機能を付加したモップ払拭体は、板と前記板に植毛されたモップ払拭体の糸の束と前記束の先端に取り付けられた板と前記板に設けられた取っ手を有するものである。本請求項の発明には板と板を貼着する手段がない。【００４８】  請求項１５に係る絞り機能と洗浄機能を付加したモップ払拭体は、取っ手のついた板と前記板に植毛されたモップ払拭体の糸の束と前記束の先端の糸を固着し板状にしたものである。先端の糸を固着し板状にする方法は、例えばミシンにかけるとか、ボンドやのりで固めるとか、接着剤にひたして固めてしまう方法がある。また前記板にモップの柄の先端に取り付けられた板と貼着自在とする貼り付け手段を設けていてもよい。【００４９】  請求項１６に係るしぼり機能と洗浄機能を付加したモップは、モップの柄と柄の先端に着脱自在であり、かつＴ字状になるように取り付けた板と前記板に取り付けられたクリップと、方形に形成したモップ払拭体の糸の束と、板と板に取り付けられたクリップとこの板に更に取っ手を取り付ける。そして、この板とモップの先端に取り付けられた板とを貼着自在とする貼り付け手段を、前記板の一方あるいは両方に設けたものである。【００５０】  本発明の技術概念を取り入れたモップの製造法を以下に記す。製造方法は従来のモップを製造する方法とたいして変わらない。多少工程が増すだけである。すなわち、モップ払拭体を従来のものより折り曲げられる程度に長くして、その先端に板を取り付ける。この板は従来のモップ払拭体を植毛していた木製の板あるいはプラスチック製の板と同じでよい。また、モップ払拭体を構成する糸の束も、長さは違うもの��まったく同じ材質のものを転用すればよい。【００５１】  モップ払拭体の先端に板をつけたら、その板に取っ手を設ける。そして、モップの柄についた板と、モップ払拭体の先端に取り付けた板を貼着する手段を片方の板あるは両方の板に取り付ければよい。また本発明に使用する材質も従来のモップを構成していたものと同じでよい。特別変わったものを使うことはない。
【発明を実施するための最良の形態】
【００５２】  本発明の実施の形態を図２５から図３０に基づいて説明する。図２５から図３０は斜視図である。【００５３】  まず床を拭くあるいはワックスをかけるなどの作業中は図２５のように従来のモップと同じように使用する。つまりモップ払拭体を水やワックスでぬらしたあとで床などをモップの柄を握ってモップ払拭体を床やタイルにこすりつけることで汚れを落としたり、ワックスをかけたりする。床の汚れがモップ払拭体について洗わなければならなくなったら、モップ払拭体をバケツにためた水の中に入れる。そして図２６のようにモップの先端につけた板とモップ払拭体の糸の束の先端につけた板を前記板にある取っ手を握ってつかみ、貼着状態を解除して広げる。【００５４】  そして図２７のように取っ手をつかんだ手を上下させモップ払拭体をこすりあわせ洗う。この時、バケツの上にモップ払拭体を出して洗うか、あるいはバケツから完全に外に出し、ぬれてもよい場所にモップ払拭体をおいて、取っ手を握った手を上下させてモップ払拭体をこすりあわせ洗う。【００５５】  本発明のモップ払拭体は、従来のモップ払拭体より糸の束が長く、かつ、取っ手がついていてモップ払拭体の先端をつかめるようになっているので、洗うときに洗いやすく汚れが落ちやすい。【００５６】  十分洗ったら、モップ払拭体の水を絞らなければならない。この時、図２８のようにモップ払拭体を取っ手のついた板を手で回すことによりねじる。このことによりモップ払拭体は回転した板に連動してねじられ、絞られる。このとき手を汚すことはない。【００５７】  十分絞ったら、図２９のようにモップ払拭体の両端についた板の一方あるいは両方についた貼着手段により、モップ払拭体を折り曲げながら両端の板を貼り合わせ、使用状態にもどす。これらの動作によりモップ払拭体はループ状となる。【００５８】  図３０は広げられたモップがしまわれるまでを示したものである。また図１４から図２０のようにモップ払拭体を構成すれば、本発明の機能をモップ払拭体だけで実現できる。つまり方形に形成したモップ払拭体の糸の束を形成し、その両端に板を取り付けその片方あるいは両方に取っ手を設け、前記二枚の板を貼り合わせる貼着自在手段を板に設ければよいのである。【００５９】  このように構成したモップ払拭体を従来のモップの柄に取り付けられるように、従来のモップの柄との結合部に、従来のモップの柄に合う構造体を設ければ、従来のモップの柄に本発明によるモップ払拭体を取り付けることができる。【００６０】  すなわち本発明の技術思想をモップ払拭体に適用すれば、従来のモップと互換性のあるモップ払拭体を提供することができる。この互換性は本発明の顕著な利点でもある。【００６１】このように本発明はモップの先端に板と取っ手をつけ、モップ払拭体を従来より長くすることで、モップ払拭体を手を汚さず洗いそして絞ることができるようにしたものである。
【実施例】
【００６２】実施例１
実施例１を図１に基づいて説明する。モップの柄の先端に板がＴ字状に取り付けられている。その板にはモップ払拭体の糸の束が植毛され下に伸びている。下に伸びた糸の束の先端には更に板が取り付けられている。そして、その板に取っ手がついて、その板とモップの柄の先端につけられた板とを貼着自在とする手段が板に取り付けられている。図１ではモップ払拭体が植毛された板と、取っ手のついた板を貼着する手段が、板の両方にあるように書かれているが、板の一方にあるものでもよい。このような状態のモップ払拭体を折り曲げて、貼着手段により板と板を貼り合わせる。必要なときは取っ手を手で握り、板と板を切り離して、モップ払拭体を広げたり洗ったり絞ったりする。【００６３】実施例２
実施例２を図２に基づいて説明する。発明の基本的な構成は実施例１と同じであるが、板と板を貼着する手段が、別体のクリップ状の止め具により実現されている。モップ払拭体を広げたり、洗ったり、絞ったりするときは、別体のクリップ状の止め具をはずして行う。【００６４】実施例３
実施例３を図３に基づいて説明する。発明の基本的構成は実施例１と同じである。ただ違うのは、モップの柄とモップ払拭体が着脱自在となっている点である。このときモップの柄はモップ払拭体の両端の板の片方に着脱自在に取り付けられる。【００６５】実施例４
実施例４を図４に基づいて説明する。実施例３と似ているが違う点がひとつある。それはモップ払拭体の両端の板を貼り付けてから、モップの柄を着脱自在に取り付けるという構造となっている点である。であるのでモップの柄がモップ払拭体に取り付けられているときは、モップ払拭体を取っ手をもって広げることはできない。モップ払拭体を広げるときは、一度モップの柄とモップ払拭体を切り離してから行わなければならない。【００６６】実施例５
実施例５を図５に基づいて説明する。先端Ｔ字のモップの柄がある。この柄の先端にある板にクリップを取り付ける。クリップはモップ先端に取り付けた板の形状にあわせる。このクリップでモップ払拭体の一方にある束ねた先端を差し込み固定する。そしてモップ払拭体のもう一方の板とモップの柄の先端に取り付けられた板とを、モップ払拭体を折り曲げながら貼着自在手段で貼り合わせる。【００６７】実施例６
実施例６を図６に基づいて説明する。先端Ｔ字のモップの柄があり、このモップの先端に取り付けた板にモップ払拭体の両端の板を貼着自在手段で貼り付ける。このときもモップ払拭体を折り曲げて貼り付けるようにする。また取っ手はモップ払拭体の両端の板の一方だけに取り付ければよいが、両方に取り付けてもよい。図６は取っ手を両端の板に両方取り付けてある状態を示している。【００６８】実施例７
実施例７を図７に基づいて説明する。実施例７は実施例６の改良版で、モップの柄の先端の板を着脱自在とした点だけが異なるだけである。【００６９】実施例８
実施例８を図８に基づいて説明する。実施例８は実施例１と基本的に構造は同じであるがモップ払拭体を折り曲げながら、最終的に板と板を貼着する手段がモップ払拭体の先端に取り付けられた板とモップの付け根にあるところが実施例１と違う点である。使い方は実施例１と同じである。【００７０】実施例９
実施例９を図９に基づいて説明する。実施例９はモップの柄に取り付けた板と、モップ払拭体の先端に取り付けた板との長さや幅が違うものである。先端に取り付けた板を、モップの柄に取り付けた板より短くすることで、絞りやすくなるという効果がある。【００７１】実施例１０
実施例１０を図１０に基づいて説明する。実施例１は取っ手が一つだったが、実施例１０は取っ手が二つあり、一つが実施例１と同じモップ払拭体の先端の板に取り付けられ、もう一つが図１０のようにモップの柄の付け根についている。ただし取っ手の取り付け方法は図１０に拘泥するのではなく、例えばモップの付け根をモップの柄より太くする、あるいは違う材料、ゴムやプラスチックなどを付け根にまきつけて太くして、手で握りやすくしてもよい。【００７２】実施例１１
実施例１１を図１１に基づいて説明する。実施例１１はモップ払拭体の先端に取り付けられた板を分割し、それぞれ取っ手をつけたものである。図１１のように二つに分ければ、モップ払拭体は二つに分かれ絞りやすくなる。しかし使用するときは一枚の板、すなわちモップの柄の先端に取り付けられた一枚の板に貼着されるので、一体感を完全に失うものではない。【００７３】実施例１２
実施例１２を図１２に基づいて説明する。実施例５はモップの柄の先端に取り付けられた板にクリップを設けて、そこにモップ払拭体の片方のたばねた先端を挟み込む構造であったが、実施例１２はそれをさらにすすめて、モップの柄の先端に取り付けられるものを板ではなく、幅広の長大なクリップにしてしまうという発想に基づいて構成されたものである。モップの柄の先端がそもそもクリップだからモップ払拭体のたばねた先端を、そのままはさめばよい。あとは幅広の長大なクリップと、モップ払拭体の先端に取り付けた板をモップ払拭体を折り曲げながら、貼着自在手段で貼り付ければよい。【００７４】実施例１３
実施例１３を図１３に基づいて説明する。すなわち実施例１３はモップ払拭体の中心にある払拭体の糸の束と、その糸の束の両端に取り付ける板を二枚とも取り外し可能としたものである。よってモップ払拭体は分解すると最終的に方形の糸の束だけになる。【００７５】実施例１４
実施例１４を図１４に基づいて説明する。すなわち実施例１４はモップ払拭体単体の実施例である。まず、モップ払拭体を構成する糸のたばを方形に形成する。方形に形成した糸のたばの両端に板をそれぞれ取り付ける。そして一方の板に取っ手を、もう一方の板にはモップの柄との結合手段の一方を設ける。更にモップ払拭体の両端の板を貼着自在とする手段を、両方の板あるいは片方の板に設ける。【００７６】実施例１５
実施例１５を図１５に基づいて説明する。実施例１５もモップ払拭体単体の実施例である。まずモップ払拭体を構成する糸の束を方形に形成する。方形に形成した糸の束の両端に板をそれぞれ取り付ける。そして一方の板に取っ手を設ける。更にモップ払拭体の両端の板を貼着自在とする手段を両方の板あるいは片方の板に設ける。実施例１４と異なる点はモップの柄との結合手段の一方がない点である。【００７７】実施例１６
実施例１６を図１６に基づいて説明する。実施例１６もモップ払拭体単体の実施例である。糸の束を方形に形成する。方形に形成した糸の束の両端に板をそれぞれ取り付ける。そして一方の板に取っ手を設け、その取っ手が取り付けられた板の一部を切り欠いてへこみを設ける。更にもう一方の板にはモップの柄との結合手段の一方を設ける。更にモップ払拭体の両端の板を貼着自在とする手段を両方の板あるいは片方の板に設ける。【００７８】  へこみを板に設ける意味は、モップ払拭体とモップの柄を結合するときに結合部分にでっぱりができる場合がある。このでっぱりが板と板を貼着するのを邪魔する場合がある。よって板を貼着する際の、このでっぱりによる妨害を排除するためにへこみを設けるのである。またへこみの代わりに板の一部を方形の箱のように形成してもよい。【００７９】実施例１７
実施例１７を図１７に基づいて説明する。実施例１７もモップ払拭体単体の実施例である。まず、糸の束を方形に形成する。方形に形成した糸の束の両端に板をそれぞれ取り付ける。そして両方の板に取っ手を設ける。更に一方の板に板を切り欠いてへこみを設け、もう一方の板にモップの柄との結合手段の一方を設ける。更にモップ払拭体の両端の板を貼着自在とする手段を両方の板あるいは片方の板に設ける。【００８０】実施例１８
実施例１８を図１８に基づいて説明する。実施例１８もモップ払拭体単体の実施例である。まず、糸の束を方形に形成する。方形に形成した糸の束の両端に板をそれぞれ取り付ける。そして両方の板に取っ手とモップの柄との結合手段の一方を設ける。更にモップ払拭体の両端の板を貼着自在とする手段を両方の板あるいは片方の板に設ける。このモップ払拭体を使用するときは、モップ払拭体の板を貼着してから、その後モップの柄と結合させる。【００８１】実施例１９
実施例１９を図１９に基づいて説明する。実施例１９もモップ払拭体単体の実施例である。まず、糸の束を方形に形成する。方形に形成した糸のたばの両端に板をそれぞれ取り付ける。そして両方の板に取っ手を設ける。このモップ払拭体を使用するときは、板と板を別体のクリップで貼着する。【００８２】実施例２０
実施例２０を図２０に基づいて説明する。実施例２０もモップ払拭体単体の実施例である。まず、糸の束を方形に形成する。方形に形成した糸の束の一端に、取っ手と板と板を貼着する貼り付け手段を設けた板を取り付ける。糸の束のもう一端は板状にたばねられる。
【発明の効果】
【００８３】  本発明に係る絞り機能と洗浄機能を付加したモップを使用するときは、モップの先端につけた板と、その板につけられた取っ手を握りタオルを絞るように絞るので、モップ絞り器が必要ない。そのためモップをどんな場所でもきっちり絞ることができる。
【００８４】  また板と板につけた取っ手を介してモップ払拭体を手で絞ることと同じであるからモップ払拭体をよく絞ることができる。
【００８５】  直接モップ払拭体に触らないから衛生的である。
【００８６】  取っ手とモップの付け根をもってモップ払拭体を広げたり、折り曲げたり、こすりあわせたりできるのでモップ払拭体をきれいに洗うことができる。
【００８７】  モップ払拭体の両端の板を貼り付けて使用するわけであるから、モップ払拭体を構成する無数の糸はループ状になる。モップ払拭体がループ状になることで、床の小さなゴミなどをひっかけやすくなり、汚れがおとしやすくなる。
【００８８】  また本発明のモップ絞り機能を実現する道具だては、単にモップ払拭体の先端につけた板と前記板に設けた取っ手だけであるから、モップの先端が重くならず、使いやすく邪魔にならない。
【００８９】  更に構造が単純だから壊れにくく、過酷な使用環境にも適用し、長持ちする。
【００９０】構造が単純ということは製造コストがかからないことも意味する。
【００９１】  そして本発明は、従来のモップと互換性があるので、従来のモップの使用者がもつモップの柄をそのまま使用できるから無駄がない。
【００９２】  従来のモップの柄とモップ払拭体が着脱自在のモップのモップ払拭体だけを、本発明のモップ払拭体に交換するだけでよいので、取り付けるのに特段考える必要もなく、慣れるのに時間はかからない。
【図面の簡単な説明】
【００９３】
【図１】実施例１を示す正面図である。
【図２】実施例２を示す正面図である。
【図３】実施例３を示す正面図である。
【図４】実施例４を示す正面図である。
【図５】実施例５を示す正面図である。
【図６】実施例６を示す正面図である。
【図７】実施例７を示す正面図である。
【図８】実施例８を示す正面図である。
【図９】実施例９を示す正面図である。
【図１０】実施例１０を示す正面図である。
【図１１】実施例１１を示す正面図である。
【図１２】実施例１２を示す正面図である。
【図１３】実施例１３を示す正面図である。
【図１４】実施例１４を示す正面図である。
【図１５】実施例１５を示す正面図である。
【図１６】実施例１６を示す正面図である。
【図１７】実施例１７を示す正面図である。
【図１８】実施例１８を示す正面図である。
【図１９】実施例１９を示す正面図である。
【図２０】実施例２０を示す正面図である。
【図２１】本発明の実施の形態を示す斜視図である。
【図２２】本発明の実施の形態を示す斜視図である。
【図２３】本発明の実施の形態を示す斜視図である。
【図２４】本発明の実施の形態を示す斜視図である。
【図２５】本発明の使用状態を示す斜視図である。
【図２６】本発明の使用状態を示す斜視図である。
【図２７】本発明の使用状態を示す斜視図である。
【図２８】本発明の使用状態を示す斜視図である。
【図２９】本発明の使用状態を示す斜視図である。
【図３０】本発明の状態遷移図である。
【符号の説明】
【００９４】１  モップの柄
２  モップ先端に取り付けられた板
３  モップ払拭体の糸の束
４  モップ払拭体の先端に取り付けられた板
５  取っ手
６  貼着手段
７  クリップ
８  結合手段の一方
９  結合手段の他方
１０  モップ払拭体の糸の束のたばね部
１１  取っ手がついた板の反対側に取り付けられた板
１２  板の切り欠き部
１３  手
【図１】
2008029790.tif 000003
【図２】
2008029790.tif 000004
【図３】
2008029790.tif 000005
【図４】
2008029790.tif 000006
【図５】
2008029790.tif 000007
【図６】
2008029790.tif 000008
【図７】
2008029790.tif 000009
【図８】
2008029790.tif 000010
【図９】
2008029790.tif 000011
【図１０】
2008029790.tif 000012
【図１１】
2008029790.tif 000013
【図１２】
2008029790.tif 000014
【図１３】
2008029790.tif 000015
【図１４】
2008029790.tif 000016
【図１５】
2008029790.tif 000017
【図１６】
2008029790.tif 000018
【図１７】
2008029790.tif 000019
【図１８】
2008029790.tif 000020
【図１９】
2008029790.tif 000021
【図２０】
2008029790.tif 000022
【図２１】
2008029790.tif 000023
【図２２】
2008029790.tif 000024
【図２３】
2008029790.tif 000025
【図２４】
2008029790.tif 000026
【図２５】
2008029790.tif 000027
【図２６】
2008029790.tif 000028
【図２７】
2008029790.tif 000029
【図２８】
2008029790.tif 000030
【図２９】
2008029790.tif 000031
【図３０】
2008029790.tif 000032
【手続補正書】
【提出日】平成19年5月22日(2007.5.22)
【手続補正１】
【補正対象書類名】特許請求の範囲
【補正対象項目名】請求項２
【補正方法】変更
【補正の内容】
【請求項２】
モップの柄と、柄の先端にＴ字状になるように取り付けられた板と、前記板に植毛されたモップ払拭体の糸の束と、前記束の先端に取り付けた板と、前記板に設けられた取っ手とを要し、かつ、前記モップ払拭体の糸の束が植毛された板と前記束の先端に取り付けた板とを貼着自在とする貼り付け手段を、前記板に設けたことを特徴とする絞り機能と洗浄機能を付加したモップ。